(57)【特許請求の範囲】
【請求項１】
機器本体上に、変位操作可能な回転操作部材と、該回転操作部材の変位に応じて変位する第一電気接点と摺接してその変位位置を検出する第二電気接点と、上記回転操作部材の変位位置に応じて発光状態が変化する発光素子とを有する変位操作装置において、
上記第二電気接点を配置した第一の基板部と、上記第一の基板部とは別部材からなる、上記発光素子を配置した第二の基板部とが設けられ、
上記第二電気接点は、上記回転操作部材と同心円状に形成されており、上記第二の基板部は、上記第一の基板部上の第二電気接点を露出させる開口を有しており、上記開口に沿わせて、上記発光素子が配置されていることを特徴とする変位操作装置。
【請求項２】
請求項１記載の変位操作装置において、上記発光素子は複数配置されていて、少なくとも一つの発光色が異なる変位操作装置。
【請求項３】
請求項１または２に記載の変位操作装置において、上記回転操作部材の内径側には、少なくとも一つの押圧操作部材が位置しており、上記第一の基板部上に該押圧操作部材による押圧を検知する押圧検知部材が設けられている変位操作装置。
【請求項４】
機器本体上に、変位操作可能な回転操作部材と、該回転操作部材の変位に応じて変位する第一電気接点と摺接して、その変位位置を検出する第二電気接点と、上記回転操作部材の変位位置に応じて発光状態が変化する発光素子とを有する変位操作装置において、
上記第二電気接点を配置した第一の基板部と、上記発光素子を配置した第二の基板部とを有し、上記第一の基板部と上記第二の基板部とは、分離可能であること、及び
上記第二電気接点は、上記回転操作部材と同心円状に形成されており、上記第二の基板部は、上記第一の基板部上の第二電気接点を露出させる開口を有しており、上記開口に沿わせて、上記発光素子が配置されていることを特徴とする変位操作装置。
【請求項５】
機器本体上に、変位操作可能な回転操作部材と、該回転操作部材の変位に応じて変位する第一電気接点と摺接して、その変位位置を検出する第二電気接点と、上記回転操作部材の変位位置に応じて発光状態が変化する発光素子とを有する変位操作装置において、
上記第二電気接点を配置した第一の基板部と、上記発光素子を配置した第二の基板部とを有し、上記第一の基板部と上記第二の基板部とは、積層されて上記機器本体内に配置されていること、及び
上記第二電気接点は、上記回転操作部材と同心円状に形成されており、上記第二の基板部は、上記第一の基板部上の第二電気接点を露出させる開口を有しており、上記開口に沿わせて、上記発光素子が配置されていることを特徴とする変位操作装置。
【発明の詳細な説明】
【技術分野】
【０００１】
本発明は、変位操作部材の変位位置に応じて複数の発光素子を選択発光させて、その光を該変位操作部材の表示部に導く変位操作装置に関する。
【背景技術】
【０００２】
例えば、近時のデジタルカメラは、各種の撮影モードや操作を選択する回転操作ダイヤルを設け、さらに視認性を向上させるため、回転操作ダイヤルの周縁表示部を選択的に発光させることが一般に行われている（特許文献１、２）。
【０００３】
このような回転発光ダイヤルでは、回転操作ダイヤルの回転位置を検出するために、回転操作ダイヤルにブラシを固定し、機器本体に該ブラシに摺接するランドを有する基板を固定している。また、少なくとも表示部を透光性とした回転操作ダイヤルの背面に、複数の発光素子を配置して、選択発光させている。
【先行技術文献】
【特許文献】
【０００４】
【特許文献１】特開平１１−２１９６３９号公報
【特許文献２】特開２００１−００５０７５号公報
【発明の概要】
【発明が解決しようとする課題】
【０００５】
ブラシに摺接するランドと発光素子は従来、同一基板の同一面上に設けるのが技術常識であった。ところが、本発明者によると、ランドと発光素子(表面実装型ＬＥＤ)は同一基板の同一面にはんだ付けしており、ランドと発光素子の間隔が狭いと、溶融したはんだが発光素子の端子とランドを短絡したり、ランドのブラシとの接触面を汚染したりする虞れがある。このため、ランドと発光素子の間隔を十分広く設定しなければならず、小型化（小径化）の妨げとなっていた。特に、回転操作ダイヤルの内周側に押しボタンスイッチを設ける態様では、円形のランドの内周側の同一面上に押しボタンスイッチ用のスイッチ素子を配置しなければならず、ランドとスイッチ素子の端子とがはんだにより短絡するおそれがあった。そのため、ランドと発光素子、スイッチ素子の間隔を十分広く設定しなければならず、実装面積、基板の面積を小さくすることが困難であり、回転操作ダイヤル装置を小型化（小径化）することが困難であった。
【０００６】
本発明は、以上の問題意識に鑑みてなされたものであって、小型化（小径化）が可能な変位操作装置を得ることを目的とする。
【課題を解決するための手段】
【０００７】
本発明は、機器本体上に、変位操作可能な回転操作部材と、該回転操作部材の変位に応じて変位する第一電気接点と摺接してその変位位置を検出する第二電気接点と、上記回転操作部材の変位位置に応じて発光状態が変化する発光素子とを有する変位操作装置において、上記第二電気接点を配置した第一の基板部と、上記第一の基板部とは別部材からなる、上記発光素子を配置した第二の基板部とが設けられ、上記第二電気接点は、上記回転操作部材と同心円状に形成されており、上記第二の基板部は、上記第一の基板部上の第二電気接点を露出させる開口を有しており、上記開口に沿わせて、上記発光素子が配置されていることを特徴とする。
【０００９】
上記発光素子は複数配置されていて、少なくとも一つの発光色を異ならせてもよい。
【００１０】
本発明の変位操作装置は、上記回転操作部材の内径側に、少なくとも一つの押圧操作部材を位置させ、上記第一の基板部上に該押圧操作部材による押圧を検知する押圧検知部材を設けることができる。
【００１１】
別の観点からなる本発明は、機器本体上に、変位操作可能な回転操作部材と、該回転操作部材の変位に応じて変位する第一電気接点と摺接して、その変位位置を検出する第二電気接点と、上記回転操作部材の変位位置に応じて発光状態が変化する発光素子とを有する変位操作装置において、上記第二電気接点を配置した第一の基板部と、上記発光素子を配置した第二の基板部とを有し、上記第一の基板部と上記第二の基板部とは、分離可能であること、及び上記第二電気接点は、上記回転操作部材と同心円状に形成されており、上記第二の基板部は、上記第一の基板部上の第二電気接点を露出させる開口を有しており、上記開口に沿わせて、上記発光素子が配置されていること、を特徴とする。
【００１２】
さらに別の観点からなる本発明は、機器本体上に、変位操作可能な回転操作部材と、該回転操作部材の変位に応じて変位する第一電気接点と摺接して、その変位位置を検出する第二電気接点と、上記回転操作部材の変位位置に応じて発光状態が変化する発光素子とを有する変位操作装置において、上記第二電気接点を配置した第一の基板部と、上記発光素子を配置した第二の基板部とを有し、上記第一の基板部と上記第二の基板部とは、積層されて上記機器本体内に配置されていること、及び上記第二電気接点は、上記回転操作部材と同心円状に形成されており、上記第二の基板部は、上記第一の基板部上の第二電気接点を露出させる開口を有しており、上記開口に沿わせて、上記発光素子が配置されていることを特徴とする。
【発明の効果】
【００１３】
本発明の変位操作装置は、ランドを有する第一の基板と複数の発光素子を有する第二の基板とを設けたので小型化（小径化）が可能になった。
【図面の簡単な説明】
【００１４】
【図１】本発明の変位操作装置を一眼レフデジタルカメラに適用した実施形態を示す、要部の背面斜視図である。
【図２】同変位操作装置の分解斜視図である。
【図３】同変位操作装置の押しボタンスイッチユニットの分解斜視図である。
【図４】図１のIV-IV線に沿う断面図である。
【図５】図３の押しボタンスイッチユニットを裏から見た分解斜視図である。
【発明を実施するための形態】
【００１５】
図示実施形態は、本発明を一眼レフデジタルカメラの変位操作装置（複合スイッチ装置）１００に適用した実施形態である。カメラボディ（機器本体）１０は、その背面ボディ（背面構成部材、機器本体背面）１０Ｂに大型のＬＣＤ画面１１を備え、ＬＣＤ画面１１の右隣りに、回転操作ダイヤル１２を備えている。この実施形態の回転操作ダイヤル１２は、正面円形のモードダイヤルであり、その内側空間に押しボタンスイッチ（群）１３が備えられている。
【００１６】
本実施形態は、以上の回転操作ダイヤル１２と押しボタンスイッチ１３を含む変位操作装置１００を対象としている。背面ボディ１０Ｂには、回転操作ダイヤル１２の外径より若干小径の円形貫通孔２１が形成されており、この円形貫通孔２１の周縁に背面側に突出させて、同心の円形ガイド段部（回転ガイド部、軌道、レール）２２が形成されている。
【００１７】
回転操作ダイヤル１２は、図２、図４に示すように、共に中空の本体リング１２ａと、本体リング１２ａの内周側に一体に固定されるブラシリング１２ｂとからなり、ブラシリング１２ｂの周縁に、円形ガイド段部２２に相対回動自在に係合する段部１２ｃが形成されている。また、回転操作ダイヤル１２（ブラシリング１２ｂ）の内周には、径方向内方に突出する（被）抜止突起１２ｄが形成されている。回転操作ダイヤル１２は、その回転位置によってＡＵＴＯ（自動）、Ｐ（プログラム）、Ｓｖ（ＩＳＯ感度優先）、・・・等の露出モードを選択するスイッチである。回転操作ダイヤル１２は、その表面（周縁表示部）に円周方向に沿って一定の間隔で、ＡＵＴＯ（自動）、Ｐ（プログラム自動）、Ｓｖ（シャッタ優先自動）、・・・、ＳＣＮ（シーン別プログラム自動）等の露出モードを識別する文字表示１２ｘが打ち抜き形成され、その裏面に文字表示１２ｘに対向させて透光性材料からなる導光板１５が装着されている。なお、本体リング１２ａ自体を透光性材料で成形し、本体リング１２ａ上に、必要に応じて透光塗装（印刷）を施した後、所定のパターン（文字表示１２ｘ）で遮光塗装（印刷）すれば、部品点数を減じて、より製造が容易である。
【００１８】
回転操作ダイヤル１２の中心開口部１２ｆには、押しボタンスイッチ１３を有する押しボタンスイッチユニット３０が挿入され、この押しボタンスイッチユニット３０が背面ボディ１０Ｂに固定されることで、回転操作ダイヤル１２が抜け止められる。押しボタンスイッチユニット３０は、サブアッシされるもので、サブアッシ部材３１に、複数の押しボタン部材１３ａ〜１３ｅが支持されている。押しボタン部材１３ａ〜１３ｅは、中心のＯＫボタン１３ａと、ＯＫボタン１３ａの周辺の上下左右に位置するＩＳＯボタン１３ｂ、ホワイトバランスボタン１３ｃ、フラッシュボタン１３ｄ、及びドライブボタン１３ｅからなっている。
【００１９】
合成樹脂材料の成形品からなる押しボタン部材１３ａ〜１３ｅはそれぞれ、図３に示すように、軸部材１３ａ１〜１３ｅ１を有し、同じく樹脂材料の成形品からなるサブアッシ部材３１には、これら軸部材１３ａ１〜１３ｅ１を摺動自在に挿入する摺動孔３１ａ〜３１ｅが形成されている。軸部材１３ａ１〜１３ｅ１の摺動孔３１ａ〜３１ｅからの突出部分には、抜止のＣリング３２ａ〜３２ｅが装着される。また押しボタン部材１３ａ〜１３ｅとサブアッシ部材３１の間には、圧縮ばね３３ａ〜３３ｅが挿入されていて、押しボタン部材１３ａ〜１３ｅは、突出端に保持されている。
【００２０】
押しボタンスイッチユニット３０は、サブアッシ部材３１と押しボタン部材１３ａ〜１３ｅの間に圧縮ばね３３ａ〜３３ｅを挿入した状態で、軸部材１３ａ１〜１３ｅ１をサブアッシ部材３１の摺動孔３１ａ〜３１ｅに挿入し、摺動孔３１ａ〜３１ｅからの突出部分にＣリング３２ａ〜３２ｅを装着することでサブアッシが完了する。
【００２１】
また、回転操作ダイヤル１２と押しボタンスイッチユニット３０との間には、回転操作ダイヤル１２を所定の回転角でクリックストップするクリックストップ機構が設けられている。図５は、このクリックストップ機構を示すもので、回転操作ダイヤル１２の中心開口部１２ｆの内周面１２ｈに所定の間隔で形成されたクリックストップ溝１２ｉと、押しボタンスイッチユニット３０のサブアッシ部材３１に設けられた、サブアッシ部材３１の外周面から出没してクリックストップ溝１２ｉに係合するボール３５を備えている。サブアッシ部材３１には、回転操作ダイヤル１２の回転軸と直交する径方向に向けて一対のばね収容孔３１ｆが形成されていて、このばね収容孔３１ｆ内に圧縮ばね３６とボール３５が挿入されている。ばね収容孔３１ｆにはサブアッシ部材３１の外周面に開口し、ボール３５が出没可能な孔３１ｇが形成されていて、ボール３５は、孔３１ｇから出没可能に圧縮ばね３６により付勢されている。
【００２２】
以上の回転操作ダイヤル１２と押しボタンスイッチユニット３０を組み合わせて変位操作装置１００とするには、回転操作ダイヤル１２を背面ボディ１０Ｂの円形貫通孔２１に嵌める。すると、ブラシリング１２ｂの段部１２ｃが円形ガイド段部２２に係合して回転操作ダイヤル１２が円形ガイド段部２２上を回転自在になる。この状態において、回転操作ダイヤル１２の中心開口部１２ｆ内に押しボタンスイッチユニット３０を嵌める。すると、サブアッシ部材３１の抜止環状部３１ｘが回転操作ダイヤル１２の抜止突起１２ｄに係合し、回転操作ダイヤル１２の抜止が図られる。この状態において、背面ボディ１０Ｂの前方から固定ねじ３４（図２、図４）を挿入してサブアッシ部材３１を固定すれば、変位操作装置１００が完成する。このとき、押しボタンスイッチユニット３０は、圧縮ばね３６とボール３５がばね収容孔３１ｆに挿入された状態で、回転操作ダイヤル１２の中心開口部１２ｆ内に嵌められ、ボール３５は、圧縮ばね３６の付勢力によりサブアッシ部材３１の外周面から突出して回転操作ダイヤル１２の内周面１２ｈに押圧され、回転操作ダイヤル１２が回転すると内周面１２ｈを転動し、クリックストップ溝１２ｉに対向するとクリックストップ溝１２ｉに係合して回転操作ダイヤル１２の回転負荷（回転トルク）を増大させる。つまり、回転操作ダイヤル１２は、ボール３５がクリックストップ溝１２ｉに嵌った回転位置でクリックストップされる。ボール３５とクリックストップ溝１２ｉは、回転操作ダイヤル１２をクリックストップした位置でいずれか一つの文字表示１２ｘが指標１８と一致するように形成されている。
【００２３】
背面ボディ１０Ｂ内には、回転操作ダイヤル１２の回転位置を検出する基板（フレキシブルプリント基板）４０が配置されている。回転操作ダイヤル１２のブラシリング１２ｂにはブラシ１２ｇ（図４）が固定されており、基板４０上にはこのブラシ１２ｇが摺接するランド４１が形成されている。ブラシ１２ｇは銅合金などの弾性金属材料からなり、ランド４１は銅などの導電性材料により形成されている。この実施形態のランド４１は、回転操作ダイヤル１２の回転中心と同心円上に形成された複数の円弧状セクタからなり、複数の円弧状セクタの組合せにより、回転操作ダイヤル１２の回転位置（変位位置）を３６゜の分解能（回転角３６゜単位）で検知可能に形成されている。また、基板４０上には、ランド４１に囲まれた内方領域に、押しボタンスイッチユニット３０の押しボタン部材１３ａ〜１３ｅの軸部材１３ａ１〜１３ｅ１に対応させて、押しボタン部材１３ａ〜１３ｅの押圧を検知するスイッチ部材４２ａ〜４２ｅが配置されている。回転操作ダイヤル１２の回転位置を検出するランド４１と、押しボタン部材１３ａ〜１３ｅの押圧を検知するスイッチ部材４２ａ〜４２ｅが一枚の基板４０の同一面上に配置されていることにより、変位操作装置１００の薄型化を図ることができる。回転操作ダイヤル１２の変位位置（回転位置）を検知する分解能はこの実施形態に限定されず、検知間隔は等間隔でなくてもよい。
【００２４】
また、背面ボディ１０Ｂ内には、第二の基板としてのサブ基板（プリント基板）５０が設けられ、このサブ基板５０が基板４０に結合され、この基板４０がシャーシ（裏打ち基板）６０上に固定され、シャーシ６０が背面ボディ１０Ｂに、背面ボディ１０Ｂの前方から固定ねじ６１で固定されている。そうして押しボタンスイッチユニット３０は、シャーシ６０に、背面ボディ１０Ｂの前方から基板４０の挿通孔４５を貫通し、サブアッシ３１に形成されたボス３１ｈのねじ穴に螺入された固定ねじ３４により固定されている。
【００２５】
サブ基板５０は、中心部に、基板４０のランド４１、スイッチ部材４２ａ〜４２ｅ及び発光素子（ＬＥＤ）４３を露出させる円形開口５１を有し、円形開口５１の周囲に、複数の同一の発光色（例えば緑色）の発光素子（表面実装型ＬＥＤ）５２と、発光素子５２とは発光色が異なる（例えば赤色）１個の異色発光素子（表面実装型ＬＥＤ）５３が配置され、はんだ付けされている。発光素子４３の発光色は、発光素子５２、５３と同一でも異なっていてもよい。
【００２６】
サブ基板５０と基板４０は、サブ基板５０の縁部に設けられた複数の電極（ランド）群５３と、これらの電極群５３に対応させて基板４０の表面に形成した複数の電極（ランド）群４４をはんだ付けして積層結合されている。異色発光素子５３は、基板４０、５０が背面ボディ１０Ｂに固定されたときに、指標１８と一致する回転操作ダイヤル１２の文字表示１２ｘに対応する位置に設けられ、複数の発光素子５２は、他の各文字表示１２ｘに対応位置に設けられている。これらの発光素子５２、５３は、デジタルカメラの電源がオンされたときや回転操作ダイヤル１２が回転操作されたときなど所定の操作がされたときに一定時間点灯または点滅する。発光素子５２、５３が発した光は表示光として導光板１５に入射し、文字表示１２ｘから射出して文字表示１２ｘを明るく光らせる。発光素子５２の点灯により文字表示１２ｘが光るので、文字表示１２ｘの文字を容易に視認でき、異色発光素子５３の点灯により、指標１８と一致する文字表示１２ｘが他の文字表示１２ｘとは異なる色で光るので、指標１８と一致する文字表示１２ｘを容易に視認できる。発光素子４３は、ＯＫボタン１３ａが押圧可能なとき、押圧されたときなどに発光させる。
【００２７】
本実施形態は、ランド４１を有する基板４０と発光素子５２、５３を有するサブ基板５０とを別個の基板として形成したので、基板４０と離隔して、発光素子５２、５３をサブ基板５０にはんだ付けすることができるので、はんだ付けする際に発生するガスやはんだクズによって、ランド４１を汚染するおそれがなく、はんだ付け後は、平面視において、発光素子５２、５３とランド４１を近接させて、あるいは一部を重複させて設けることが可能になり、平面視における面積を小さく、変位操作装置１００の小径化が可能になった。サブ基板５０に実装した発光素子５２、５３以外の電子部品をはんだ付けする際にも、ランド４１をはんだ付けする際に発生するガスやはんだクズによって汚染するおそれがない。
【００２８】
本実施形態は、発光素子５２、５３を有するサブ基板５０がランド４１を有する基板４０から離反（上方に位置）しているので、回転操作ダイヤル１２の文字表示１２ｘと発光素子５２、５３との間隔が狭く文字表示１２ｘ外に漏れる光が少ない一方、ブラシ１２ｇを設けた回転操作ダイヤル１２のブラシリング１２ｂとランド４１との間隔を十分に確保することが可能であり、変位操作装置１００を薄型化できる。
【００２９】
以上本発明をデジタルカメラに適用した実施形態について説明したが、本発明は、デジタルビデオカメラや携帯電子機器など電子機器全般、あるいはこれらのコントローラに適用可能である。
【符号の説明】
【００３０】
１０  カメラボディ（機器本体）
１０Ｂ  背面ボディ
１１  ＬＣＤ画面
１２  回転操作ダイヤル（変位操作部材、回転操作部材）
１２ａ  本体リング
１２ｂ  ブラシリング
１２ｃ  段部
１２ｆ  中心開口部（開口）
１２ｇ  ブラシ（第一電気接点）
１２ｈ  内周面
１２ｉ  クリックストップ溝
１２ｘ  文字表示（周縁表示部）
１３  押しボタンスイッチ（押圧操作部材）
１３ａ  １３ｂ  １３ｃ  １３ｄ  １３ｅ  押しボタン部材（押圧操作部材）
１５  導光板
１８  指標
２１  円形貫通孔
２２  円形ガイド段部（ガイド部）
３０  押しボタンスイッチユニット
３１  サブアッシ部材
３４  固定ねじ
３５  ボール
３６  圧縮ばね
４０  基板（第一の基板部）
４１  ランド（第二電気接点）
４２ａ  ４２ｂ  ４２ｃ  ４２ｄ  ４２ｅ  スイッチ部材（押圧検知部材）
４３  発光素子（ＬＥＤ）
５０  サブ基板（第二の基板部）
５１  円形開口
５２  発光素子（ＬＥＤ）
５３  異色発光素子（発光素子、ＬＥＤ）
６０  シャーシ
６１  固定ねじ
１００  変位操作装置（複合スイッチ装置）
【図１】
0006439320.tif 000002
【図２】
0006439320.tif 000003
【図３】
0006439320.tif 000004
【図４】
0006439320.tif 000005
【図５】
0006439320.tif 000006